(57)【要約】      （修正有）【課題】近年の一人用、又は２〜３人用の小さいテーブルの上に配置しても邪魔になることのない箸箱を提供する。【解決手段】箸箱本体１の背面壁３の上縁に設けた継手を介して蓋２を開閉可能に取付けた箸箱であり、テーブルの縦寸法又は横寸法に対して、長さ寸法Ｌが約１／３以下に成るようにしている。【選択図】図１
0003209261.tif 000002
【実用新案登録請求の範囲】
【請求項１】
近年の一人用、又は２〜３人用の小さいテーブルの上に配置しても邪魔になることなく適合し、箸箱本体の背面壁の上縁に設けた継手を介して蓋を開閉可能に取付けた箸箱において、該テーブルの縦寸法又は横寸法に対して、長さ寸法が約１／３以下に成るようにしたことを特徴とする箸箱。
【請求項２】
箸箱本体の長さ寸法を２２ｃｍとした請求項１記載の箸箱。
【考案の詳細な説明】
【技術分野】
【０００１】
本考案は近年の小さいテーブルに適合出来るような、コンパクトな箸箱に関するものである。
【背景技術】
【０００２】
昔は大家族で構成されて、食卓のテーブルにしても数人が座ることが出来るサイズ（大きさ）を有していた。しかし、近年では家族数が少なくなり、夫婦と子供一人の３人家族であることが多く、また子供がなくて夫婦二人の場合もある。
さらには、結婚しないで一人身のケース、離婚して子供一人の母子家庭も珍しくない。このような少人数で構成される家族が外食をする場合には、大きなテーブルは必要でなく、１人又は２〜３人用が適している。
【０００３】
レストランや食堂にしても、大人数で訪れて食事をするケースは昔と比較した場合に少なくなり、その為に設置しているテーブルは小さく成っている。
すなわち、１人又は２〜３人用の小さいテーブルを数多く配置している。そこで、このような小さいテーブルに従来のような大きな箸箱を置くと邪魔になる。
【０００４】
勿論、２〜３人であっても従来のような数人用の大きなテーブルを使う方が便利であるが、同じ店の床面積に大きなテーブルを数多く設置することは出来ない。その為に、近年では２〜３人で訪れる客が多い為に大きなテーブルでは相席にならざるを得なく、このような事態を避ける為に１人又は２〜３人用の小さいテーブルを数多く設置することが近年では一般的と成っている。
【０００５】
例えば、２人用のテーブルとしては一辺が６０ｃｍ又は８０ｃｍのサイズが一般的であり、このようなテーブルの上に従来のような大人数用の大きな箸箱を置くならば、各種メニーを入れた容器を並べることが出来にくい。
従来から使用されて来ている箸箱にも色々な形態が存在しているが、複数本の箸を収容する箸箱本体に蓋が開閉できるように取付けられている。
また、箸を収容した収容部を引き出し出来る形態としているものも知られているが、小さいテーブルには不向きである。
【０００６】
実用新案登録第３１６４３８７号に係る「卓上物入れ箱」は、テーブルに向かい合って座った場合でも箸箱の向きを変えずにそのまま箸を取り出すことができ、また、二つの箸箱を背を向けて配置するよりもコンパクトなサイズで設計し易い箸箱等を用途とする卓上物入れ箱である。
卓上物入れ箱を、大略直方体の長手側の両側面に抽斗口を設けた箱本体と、この箱本体１の抽斗口に出し入れ自在に装着された抽斗とを含んで構成し、箱本体を間に置いた対面位置から、正面側に抽斗の摘み部を設けている。
【０００７】
この「卓上物入れ箱」は引き出し型式の箸箱であるが、テーブル上には箱本体と抽斗が配置されることになり、少人数用の小さいテーブルではさらに狭く成ってしまい、不便を感じる。
【特許文献１】実用新案登録第３１６４３８７号に係る「卓上物入れ箱」
【考案の開示】
【考案が解決しようとする課題】
【０００８】
このように従来の箸箱は近年の少人数用の小さいテーブルに対して大き過ぎて邪魔になるといった問題がある。本考案が解決しようとする課題はこの問題点であり、近年の小さいテーブルであっても邪魔になることなく適合することが出来る箸箱を提供する。
【課題を解決するための手段】
【０００９】
本考案に係る箸箱の基本形態は従来と同じであり、直方体をした箸箱本体に蓋を開閉出来るように取付けた構造と成っている。蓋は取外し出来る開閉方式ではなく、継手を介して旋回することで開くことが出来る構造と成っている。
ところで、本考案に係る箸箱本体の寸法は小さくなっているが、ただし箸が収容される長さとしなくてはならない。
【００１０】
そこで、箸箱本体の長さは２２ｃｍ前後の寸法とし、比較的短い箸を対象としている。そして奥行寸法６．５ｃｍ前後として、高さは６ｃｍ前後としている。箸箱本体の長さを２７ｃｍ前後の寸法としている従来の箸箱に比較してかなり短くなっている。すなわち、該箸箱はテーブルのサイズに対して約１／３以下の寸法として構成している。
【考案の効果】
【００１１】
このように、本考案の箸箱はコンパクトサイズと成っていることで、近年の小さいテーブルに適合して、食事をする際に邪魔になることはない。勿論、箸箱本体に収容される箸の本数は従来の箸箱に比較して少なくなるが、テーブルに座る人数も少ない為に、箸を新たに補充するといった必要もなく、近年のレストランや食堂では、このコンパクトな箸箱で用が足りる。
【図面の簡単な説明】
【００１２】
【図１】本考案に係る箸箱を示す実施例で、（ａ）は蓋を閉じている場合、（ｂ）は蓋が開いている場合を表している。
【図２】テーブル上に箸箱を配置している場合で、（ａ）は平面図、（ｂ）は正面図をそれぞれ表わしている。
【考案を実施するための形態】
【００１３】
図１は本考案に係る箸箱を示している実施例であり、（ａ）は蓋が閉じている場合、（ｂ）は蓋が開いている場合である。同図の１は箸箱本体、２は蓋を表し、箸箱本体１は上部を開口した直方体のボックスであり、蓋２は上部開口を閉じることが出来るように取付けられている。蓋２は背面壁３の上縁に継手を介して取付けられて同図に示すように開閉することが出来る。
【００１４】
箸箱本体１には複数本の箸（図示なし）が収容されている。ここで、収容される箸の本数は特に限定しないが、所定のテーブルで客が一日で使うに必要な本数としている。箸箱の蓋には取外し出来る形態のものも知られているが、小さいテーブルでは取り外した蓋を置く為の余分なスペースがない為に、図１にような継手を介して開閉することが出来る型式の箸箱が好ましい。
【００１５】
ところで、本考案の箸箱の箸箱本体１の長さ寸法Ｌは２２ｃｍ前後と成っていて、比較的短い箸が収容される。そして、奥行き寸法Ｍは６．５ｃｍ前後、高さ寸法Ｈは６ｃｍ前後としている。
そして、近年のテーブルは小さくて、例えば一辺が６０ｃｍの正方形、８０ｃｍの正方形、又は９０ｃｍの大きさと成っている。
【００１６】
図２はテーブル４に箸箱５を配置している状態である。同図ではテーブル４の右側縁６に沿って箸箱５が配置されていて、該テーブル４には２人で座ることも出来る。テーブル４の縦寸法がＸ、横寸法がＹとし、箸箱５の長さ寸法をＬとした場合、ＬはＸに対して約１／３以下としている。
例えばテーブル４の縦寸法が８０ｃｍとした場合、箸箱５の長さが２２ｃｍであれば、ＬはＸに対して１／３以下となる。
【００１７】
ところで、上記テーブル４は縦横寸法が同じで正方形の場合もあれば、縦横寸法が異なって長方形の場合もある。縦横寸法が違うテーブル４では箸箱５の長さ寸法Ｌがテーブル４の縦寸法Ｘ、又は横寸法Ｙの何れかに対して約１／３以下であればよい。
このように箸箱の長さ寸法Ｌを小さくすることで、近年の小さいテーブル４に適合することが出来、同じ床面積に数多くのテーブル４，４・・・を配置することが可能となる。
【符号の説明】
【００１８】
１   箸箱本体
２   蓋
３   背面壁
４   テーブル
５   箸箱
６   右側縁
【図１】
0003209261.tif 000003
【図２】
0003209261.tif 000004